(57)【要約】【課題】空気調和装置を停止状態とした場合でも、ドレンパン内に位置する熱交換器の腐食を抑制する。【解決手段】室内ユニット２に空気を導入して熱交換後の空気を室内に送風する送風ファン２２と、外部の給水源から供給された所定のイオン種を含む水を電気分解することにより、活性酸素種を含む電解水を生成する電解ユニット５と、送風ファン２２により室内ユニット２に導入される空気に、電解水を接触させて空気の除菌を行う空気除菌ユニット４と、室内熱交換器２１の凝縮水および除菌後の電解水を受けるドレンパン２４と、ドレンパン２４で受けた液体を機外に排出するドレンポンプ２７と、室内熱交換器２１において、少なくともドレンポンプ２７の停止時に当該ドレンポンプ２７からドレンパン２４内への戻り水に浸る部分に形成された耐食部材と、を備える。【選択図】図１
2008076041.tif 000002
【特許請求の範囲】
【請求項１】
圧縮機、四方弁、室外熱交換器および室内熱交換器を順次接続してなる冷媒回路を備え、前記室内熱交換器を室内ユニットに備える空気調和装置において、
前記室内ユニットに空気を導入して熱交換後の空気を室内に送風する送風ファンと、
外部の給水源から供給された所定のイオン種を含む水を電気分解することにより、活性酸素種を含む電解水を生成する電解水供給部と、
前記送風ファンにより室内ユニットに導入される空気に、前記電解水を接触させて空気の除菌を行う空気除菌部と、
前記室内熱交換器および前記空気除菌部の下方に設けられ、冷房運転時における前記室内交換器の凝縮水および前記除菌後の電解水を受けるドレンパンと、
前記ドレンパンで受けた液体を機外に排出するドレンポンプと、
前記室内熱交換器において、少なくとも前記ドレンポンプの停止時に当該ドレンポンプから前記ドレンパン内への戻り水に浸る部分に形成された耐食部材と、
を備えたことを特徴とする空気調和装置。
【請求項２】
請求項１記載の空気調和装置において、
前記耐食部材は、前記戻り水に浸る部分およびその周囲における前記室内熱交換器を構成するフィンおよび冷媒管に形成されていることを特徴とする空気調和装置。
【請求項３】
請求項１または請求項２記載の空気調和装置において、
前記耐食部材は、親水性材料で形成されていることを特徴とする空気調和装置。
【請求項４】
請求項１または請求項２記載の空気調和装置において、
前記耐食部材は、水ガラス系の無機塗料の塗布あるいは常温ガラスコーティングにより形成されていることを特徴とする空気調和装置。
【請求項５】
請求項１ないし請求項４のいずれかに記載の空気調和装置において、
前記イオン種はハロゲン化物イオンであることを特徴とする空気調和装置。
【請求項６】
請求項１ないし請求項５のいずれかに記載の空気調和装置において、
前記活性酸素種は、次亜塩素酸、オゾンまたは過酸化水素のうち少なくともいずれか一つの物質を含むことを特徴とする空気調和装置。
【発明の詳細な説明】
【技術分野】
【０００１】
本発明は、空中浮遊微生物（細菌、ウィルス、真菌（以下、単に「ウィルス等」という。））の除去が可能な空気調和装置に関する。
【背景技術】
【０００２】
従来、水道水等を電気分解して次亜塩素酸などの活性酸素種を含む電解水を生成し、この電解水に空気を接触させることにより、空気中に含まれる有害物質を分解・除去等して、空気の浄化（除菌）を行う方法が知られている。また、除菌後の空気を空気調和装置に供給し、有害物質の分解・除去が行われた空気に対して冷暖房、除湿等を行い、室内に快適な空気を供給するようにすることも行われている（例えば、「特許文献１」参照。）。
【特許文献１】特開２００３−２５０８７６号公報
【発明の開示】
【発明が解決しようとする課題】
【０００３】
ところで、除菌後の電解水を熱交換器のドレンパンで受け、熱交換器で生成された凝縮水（ドレン）を排出するドレンポンプにより汲み上げて排出するように構成しようとした場合、空気調和装置の運転停止時、すなわち、ドレンポンプの停止時にドレンポンプからドレンパンへの戻り水に熱交換器の一部が浸ってしまう可能性がある。
この場合において、電解水の活性酸素種濃度あるいはイオン濃度（例えば、塩素イオン濃度）が高いと、熱交換器を構成しているフィンや鋼管が腐食されてしまうおそれが生じる。
より具体的には、熱交換器を構成しているフィンや鋼管が腐食される可能性の高さは、高い順から以下の通りとなる。
（１）食塩水を電解して得られる電解水
［塩素イオン濃度最大数十万ｐｐｍ、残留塩素濃度最大１００００ｐｐｍレベル］
（２）水道水を電解して得られる電解水を循環させて用いた場合の電解水
［塩素イオン濃度最大数千ｐｐｍ、残留塩素濃度最大数百ｐｐｍレベル］
（３）水道水の電解水
［塩素イオン濃度最大数百ｐｐｍ、残留塩素濃度最大数十ｐｐｍレベル］
（４）水道水
［塩素イオン濃度最大数百ｐｐｍ、残留塩素濃度最大数ｐｐｍレベル］
（５）冷房時に発生する凝縮水
［塩素イオンわずか、残留塩素なし］
そこで、本発明の目的は、空気調和装置を停止状態とした場合でも、ドレンパン内に位置する熱交換器の腐食を抑制することが可能な空気調和装置を提供することにある。
【課題を解決するための手段】
【０００４】
上記課題を解決するため、圧縮機、四方弁、室外熱交換器および室内熱交換器を順次接続してなる冷媒回路を備え、前記室内熱交換器を室内ユニットに備える空気調和装置において、前記室内ユニットに空気を導入して熱交換後の空気を室内に送風する送風ファンと、外部の給水源から供給された所定のイオン種を含む水を電気分解することにより、活性酸素種を含む電解水を生成する電解水供給部と、前記送風ファンにより室内ユニットに導入される空気に、前記電解水を接触させて空気の除菌を行う空気除菌部と、前記室内熱交換器および前記空気除菌部の下方に設けられ、冷房運転時における前記室内交換器の凝縮水および前記除菌後の電解水を受けるドレンパンと、前記ドレンパンで受けた液体を機外に排出するドレンポンプと、前記室内熱交換器において、少なくとも前記ドレンポンプの停止時に当該ドレンポンプから前記ドレンパン内への戻り水に浸る部分に形成された耐食部材と、を備えたことを特徴としている。
【０００５】
上記構成によれば、電解水供給部は、外部の給水源から供給された所定のイオン種を含む水を電気分解することにより、活性酸素種を含む電解水を生成する。
空気除菌部は、送風ファンにより室内ユニットに導入される空気に、前記電解水を接触させて空気の除菌を行う。
このとき、ドレンパンは、冷房運転時における前記室内交換器の凝縮水および前記除菌後の電解水を受け、ドレンポンプによりドレンパンで受けた液体を機外に排出する。
そして、運転停止時には、ドレンポンプから前記ドレンパン内への戻り水が発生し、室内熱交換器の一部がドレンパン内への戻り水に浸ることとなるが、室内熱交換器の戻り水に浸る部分には耐食部材が形成されているので、電解水による室内熱交換器の腐食を抑制できる。
【０００６】
この場合において、前記耐食部材は、前記戻り水に浸る部分およびその周囲における前記室内熱交換器を構成するフィンおよび冷媒管に形成されているようにしてもよい。
また、前記耐食部材は、親水性材料で形成されていてもよい。
さらに、前記耐食部材は、水ガラス系の無機塗料の塗布あるいは常温ガラスコーティングにより形成されているようにしてもよい。
さらにまた、前記イオン種はハロゲン化物イオンであるようにしてもよい。
また、前記活性酸素種は、次亜塩素酸、オゾンまたは過酸化水素のうち少なくともいずれか一つの物質を含むようにしてもよい。
【発明の効果】
【０００７】
本発明によれば、運転停止時にドレンポンプからドレンパンへの戻り水に熱交換器の一部が浸ってしまっても熱交換器の腐食を抑制することができる。
【発明を実施するための最良の形態】
【０００８】
次に図面を参照して本発明の好適な実施の形態について説明する。
［１］第１実施形態
図１は、第１実施形態の空気調和装置としての空気調和システムの概略構成図である。
空気調和システム１００は、一台の室外ユニット１に複数台の室内ユニット２が接続されたいわゆるマルチ型の空気調和ユニット１００Ａを備えている。
室外ユニット１は、図１に示すように、冷媒配管１０に圧縮機１１が配設され、圧縮機１１にはその吸込側にアキュムレータ１２が接続され、その吐出側には四方弁１３と室外熱交換器１４と電動膨張弁１５とが順に接続されている。四方弁１３を切り換えることにより、冷房運転時には図中に示す破線矢印の方向に冷媒を流し、暖房運転時には実線矢印の方向に冷媒を流して、冷房運転と暖房運転との切り換えが行われる。
【０００９】
室内ユニット２は、室外ユニット１と冷媒配管１０を介して接続されている。
室内ユニット２の筐体２０内には、図１に示すように、室内熱交換器２１と、室内ユニット２に吸込口３３を介して空気を導入して、室内熱交換器２１による熱交換後の空気を吹出口３４を介して室内に送風する送風ファン２２と、この送風ファン２２により室内ユニット２に導入される空気に活性酸素種を含む電解水を接触させて空気の除菌を行う空気除菌ユニット４と、所定のイオン種を含む水を電気分解して、活性酸素種を含む電解水を生成して空気除菌ユニット４に供給する電解ユニット５とが設けられている。
さらに室内熱交換器２１および空気除菌ユニット４の下方には、冷房運転時に室内熱交換器２１により生成される凝縮水および空気除菌後の電解水を受けるドレンパン２４を備えている。
【００１０】
電解ユニット５は、配水管６を介して給水源に接続されている。
給水源は配水管６を介して電解ユニット５に水を供給できるものであればよい。より具体的には、配水管６を図示しない水道管に接続して、水道を給水源としてもよいし、配水管６を水を貯留する図示しない給水槽と接続して、当該給水槽を給水源としてもよい。ここで、給水槽に貯留される水は、水道水のように塩化物イオン等の除菌能力のある所定のイオン種が予め含有されている水であってもよいし、井戸水等のイオン種濃度の希薄な水に塩化物イオン等の除菌能力のある所定のイオン種を添加したものであってもよい。以下、配水管６を介して給水源から電解ユニット５に対して供給されるこれらの水を「電解対象水」という。
【００１１】
配水管６は、給水源と接続される共用配管６１と、共用配管６１から各室内ユニット２に分岐して水道水等を電解ユニット５に分配する分配管６２とを備えている。
また、共用配管６１には電磁弁６３が設けられている。
各室内ユニット２には、電解ユニット５と、分配管６２との間に、分配管６２側から見て直列に逆止弁２８、電動弁２９がそれぞれ設けられている。
この場合において、電磁弁６３の開閉および電動弁２９の開度調整により電解ユニット５へ供給する電解対象水の量を調整しつつ、供給が行われる。
また、逆止弁２８は、電解対象水の逆流を防止しする。
【００１２】
次に、図２ないし図４を参照して、室内ユニット２のより具体的な構成について説明する。
図２は、室内ユニットの設置状態における断面図である。
図３は、室内ユニットを天井側からみた場合の平面図である。
図４は、室内ユニットの分解斜視図である。
図２および図３に示すように、本第１実施の形態の室内ユニット２はいわゆる天井埋込型の四方向吹き出し型の室内ユニット２であり、建屋の天井１０１に略四角形に形成された天井孔１０２に筐体２０が埋め込まれている。
筐体２０は、図３および図４に示すように、下面（但し、図４において上方）が開口した略四角形の箱形に形成されている。筐体２０の四隅には吊り金具１０３が設けられ、天井裏から吊り下げられる吊りボルト１０４に止着され、筐体２０が天井空間に吊り下げられる。
【００１３】
筐体２０の下面には平面視において略正方形に形成された化粧パネル３２が設けられ、この化粧パネル３２により天井孔１０２が覆われる。化粧パネル３２には室内の空気を筐体２０内に吸い込むための吸込口３３が平面視において略中央に形成されている。この吸込口３３の内側、すなわち天井１０１裏側にはフィルタ３５が装着される。また、化粧パネル３２の四辺にはそれぞれ辺に沿って長尺に形成された吹出口３４が形成されており、室内に対してこの四つの吹出口３４から四方向に空気が吹き出される。
また、筐体２０の側面に設けられた開口２０ｃには、図４に示すように、電解ユニット５、後述する逆止弁２８、電動弁２９、切換弁３０および制御基板３１が設置パネルＰに配置され、全体がカバーＣにより覆われた状態で配置されている。
【００１４】
次に、筐体２０の内部構成について説明する。
筐体２０の側板２０ａの内面には発泡スチロール製の断熱体２３が設けられている。また、筐体２０の天板の内側２０ｂにはモータ２２ａが固定され、このモータ２２ａのシャフトには羽根車２２ｂが取り付けられており、これらが送風ファン２２を構成している。この送風ファン２２を取り囲むように、筐体２０の側板２０ａに沿って略四角形状に曲げられた室内熱交換器２１が上記発泡スチロール製の断熱体２３の内側に配置されている（図３参照）。この室内熱交換器２１には送風ファン２２により吸込口３３から吸い込まれた空気が供給され、室内熱交換器２１により熱交換された空気が各吹出口３４から吹き出されるように構成されている。
【００１５】
また、図２ないし図４に示すように、室内熱交換器２１の下方には、発泡スチロール製のドレンパン２４が配置されている。このドレンパン２４は、外周面が筐体２０の内面に略設した状態で筐体２０内に配置される。また、このドレンパン２４には、化粧パネル３２の吸込口３３および吹出口３４に対応する位置に吸込開口２５及び吹出開口２６が設けられている。吸込開口２５は、図４に示すように、略矩形に形成されたドレンパン２４の中央に平面視略円形に形成されている。また、吹出開口２６はドレンパン２４の４辺に沿ってそれぞれ形成されている。
【００１６】
また、このドレンパン２４には、室内熱交換器２１の一隅に相当する位置にドレンポンプ２７が配設され、ドレンパン２４に貯留したドレン水は吸入管２７Ａ（図１参照）の吸入口を介してドレンポンプ２７（図３参照）により汲み上げられて、室内ユニット２の外部に排出される。
ここで、室内熱交換器２１の詳細配置および詳細構成について説明する。
図５は、ドレンパンと室内熱交換器の配置関係概要説明図である。
上述したように、室内熱交換器２１の下方には、発泡スチロール製のドレンパン２４が配置されているが、ドレンパン２４のドレン水受け部２４Ａは、ドレンポンプ２７側を最下流側として最上流側の位置ＨＰが、ドレンパン２４の略対角線上に配置されるようになっている。
したがって、位置ＨＰからドレンポンプ２７の吸入管２７Ａ側に向かって、すなわち、領域Ａ３から、領域Ａ２（図５中、斜線で示す領域）、領域Ａ３（図５中、網線で示す領域）に向かって、室内熱交換器２１の形状に沿って、ドレン水は流れることとなる。
【００１７】
そして、ドレンポンプ２７が運転している状態では、ドレン水は、領域Ａ１に示す領域に貯まっているだけであり、室内熱交換器２１を構成するフィンあるいは鋼管が、ドレン水に浸ることはない。
しかしながら、ドレンポンプ２７が停止した状態では、ドレンポンプ２７内の除菌後の電解水などが戻り水としてドレンパン２４内に戻り、ドレン水は、領域Ａ１および領域Ａ２の双方に貯まることとなり、室内熱交換器２１の両端部２１Ａ、２１Ｂの下部、すなわち、図４において、破線円２１ＡＵおよび破線円２１ＢＵで示す部分が除菌後の電解水などを含むドレン水中に浸ることとなる。
【００１８】
そこで、本第１実施形態では、図４において、破線円２１ＡＵおよび破線円２１ＢＵで示す部分およびその近傍の室内熱交換器２１の部分については、耐食部材２１Ｃとしての、親水性材料が表面に形成されている。
この耐食部材２１Ｃの形成は、より詳細には、水ガラス系の無機塗料を塗布して乾燥させ、あるいは常温ガラスコーティングを行って乾燥させ、形成する。
この結果、室内熱交換器２１を構成するフィンあるいは鋼管（銅管）に直接除菌後の電解水などの塩素イオン濃度あるいは残留塩素濃度の高い液体が触れることがないので、親水性を阻害することなく、耐食性を向上させることができるようになっている。
【００１９】
一方、四角形状に折り曲げられた室内熱交換器２１の一辺には、その外側に空気除菌ユニット４が配置される。本第１実施の形態では、室内熱交換器２１の端部に該当する辺と断熱体２３との間に空気除菌ユニット４が配置されている。これにより、化粧パネル３２に形成された一の吹出口３４からは、空気除菌ユニット４において除菌された空気が吹き出される。
【００２０】
図６は、空気除菌ユニットの外観斜視図である。
空気除菌ユニット４は、図６に示すように、保水性の高い気液接触部材と、この気液接触部材４１の上部に配置される分散皿４２と、気液接触部材４１の下方に配置される水受け皿４３とを備える。気液接触部材４１は、例えばアクリル繊維やポリエステル繊維等で作製された不織布で構成することができる。また、気液接触部材４１の素材として、電解水に対する反応性の少ない素材が好ましく、他にポリオレフィン系樹脂（ポリエチレン樹脂、ポリプロピレン樹脂等）、塩化ビニル樹脂、フッ素系樹脂（ＰＴＦＥ、ＰＦＡ、ＥＴＦＥ等）、セルロース系材料またはセラミックス系材料等を用いることができる。
【００２１】
本第１実施の形態では、気液接触部材４１に対して親水処理を施すことなどにより、電解水に対する親和性を高めている。これにより、気液接触部材４１の電解水の保水性（湿潤性）が保たれ、電解水と導入された空気との接触が長時間持続される。
分散皿４２は、その側面に電解水供給配管５１が接続される接続口４２ａが形成されるとともに、当該電解水供給配管５１を通じて供給された電解水を滴下して、気液接触部材４１に分散させるための孔（不図示）が、上記分散皿４２の底面に多数形成されている。
また、水受け皿４３は、気液接触部材４１を下方から保持するとともに、当該気液接触部材４１を通過した電解水を貯留可能とする。この水受け皿４３の底面には、電解水をドレンパン２４（図２および図４参照）に導くドレン管４４が接続されている。
【００２２】
図７は、電解ユニットの構成説明図である。
電解水を気液接触部材４１に供給する電解ユニット５は、図７に示すように、電解槽５２と、少なくとも一対の電極５３ａ、５３ｂとを備え、電極５３ａ、５３ｂは、通電された場合、電解槽５２に配水管６を介して供給された所定のイオン種が添加された水道水等を電気分解して活性酸素種を含む電解水を生成させる。
【００２３】
ここで、活性酸素種とは、通常の酸素よりも高い酸化活性を持つ酸素分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。電解槽５２は気液接触部材４１に接近して配置され、電解水供給配管５１を介して活性酸素種を含む電解水をただちに気液接触部材４１に供給できるように構成される。
【００２４】
電極５３ａ、５３ｂは、例えばベースがＴｉ（チタン）で皮膜層がＩｒ（イリジウム）、Ｐｔ（白金）から構成された２枚の電極板を用いることができる。
上記電極５３ａ、５３ｂにより水道水等に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、水道水等に元々含有される塩化物イオンまたはイオン種添加ユニット７により添加された塩化物イオン等が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００２５】
この構成では、電極５３ａ、５３ｂに通電することにより、殺菌力の大きい次亜塩素酸（ＨＣｌＯ）等が発生し、この次亜塩素酸等の活性酸素種を含んだ電解水が供給された気液接触部材４１に空気を通過させることにより、当該気液接触部材４１を通過する空気中に浮遊するウィルス等を不活化させて、空気を除菌することができるとともに、この気液接触部材４１で雑菌が繁殖することを防止することができる。また、臭気等のガス状物質も気液接触部材４１を通過する際に、電解水に溶解したり、電解水中の次亜塩素酸等の活性酸素種と反応したりして、空気中から除去され、脱臭することができる。
この電極５３ａ、５３ｂに所定の電流密度の電流（例えば、２０ｍＡ／ｃｍ2等）を通電すると、所定量の水道水等を電気分解して、所定の濃度の活性酸素種（例えば、遊離残留塩素濃度１ｍｇ／ｌ等）を含む電解水を生成することができる。
【００２６】
次に、本第１実施形態の空気調和装置の動作を説明する。
ユーザによって、室内リモコン（不図示）等から運転開始指示が入力されると、制御装置７４は運転開始指示により指示された運転モードに応じて、室外ユニット１の四方弁１３を冷房側又は暖房側に切り換えて冷房運転又は暖房運転等の所定の空調運転を行う。
ここで、冷房運転を行う場合には、制御装置７４は四方弁１３を冷房側に切り換えることにより、図１に示す破線矢印の様に、冷媒回路１００Ｂ中に冷媒を流して、室外熱交換器１４を凝縮器として機能させ、室内熱交換器２１を蒸発器として機能させる。そして送風ファン２２を動作させて、室内ユニット２において吸込口３３から室内の空気を吸い込ませて室内熱交換器２１により熱交換を行い、冷却した空気を空気除菌ユニット４に供給させる。
【００２７】
一方、暖房運転を行う場合には、制御装置７４は四方弁１３を暖房側に切り換えることにより、図１に示す実線矢印の様に、冷媒回路１００Ｂ中に冷媒を流して、室外熱交換器１４を蒸発器として機能させ、室内熱交換器２１を凝縮器として機能させる。そして、送風ファン２２を動作させて、室内ユニット２において吸込口３３から室内の空気を吸い込ませて室内熱交換器２１により熱交換を行い、加温した空気を空気除菌ユニット４に供給させる。
【００２８】
上記のように、空調運転を行うと同時に、電解ユニット５において所定量のイオン種が添加された水道水等を電気分解させて、次亜塩素酸等の所定の活性酸素種を含む電解水を生成させる。生成された電解水は空気除菌ユニット４に供給される。空気除菌ユニット４において、気液接触部材４１に供給された空気は活性酸素種を含む電解水に接触して、除菌される。
【００２９】
以上、説明した本第１実施の形態によれば、送風ファン２２により室内ユニット２に導入された空気は室内熱交換器２１により熱交換されて室内に送風される。また、この送風ファン２２により室内ユニット２に導入される空気は、空気除菌ユニット４により、活性酸素種を含む電解水が接触されて除菌される。空気除菌ユニット４には、電解ユニット５により生成された活性酸素種を含む電解水が供給される。この電解ユニット５は配水管６を介して、例えば、水道管、給水タンク等の給水源と接続され、給水源から水道水等や井戸水などの水が供給される。そして、給水源から供給される水にイオン種を添加するイオン種供給手段が配水管６に設けられるので、電解ユニット５には給水源から供給される水のイオン種濃度によらず、イオン種を含む水が供給され、効率よく電解水を生成して空気を除菌することができる。
【００３０】
例えば、室内の空気にインフルエンザウィルスが侵入した場合、その感染に必須の当該ウィルスの表面タンパク（スパイク）を活性酸素種が破壊、消失（除去）する機能を持ち、これを破壊すると、インフルエンザウィルスと、当該ウィルスが感染するのに必要な受容体（レセプタ）とが結合しなくなり、これによって感染が阻止される。衛生環境研究所との共同による実証試験の結果、インフルエンザウィルスが侵入した空気を本構成の気液接触部材４１に通した場合、当該ウィルスの感染力を９９％以上除去できることが判明した。
【００３１】
次にドレンポンプ停止時（運転停止時）の動作について説明する。
まず、制御基板３１上の図示しないコントローラは、図示しない室内ユニット２のコントローラと共働して、運転停止指示がなされた場合には、ドレンポンプ２７を停止し、その旨を室内ユニット２の図示しないコントローラに通知し、この結果、室内ユニット２は、運転停止状態となる。
これに伴い、重力によりドレンポンプ２７内の除菌後の電解水などが戻り水としてドレンパン２４内に戻り、ドレン水は、領域Ａ１および領域Ａ２の双方に貯まることとなり、室内熱交換器２１の破線円２１ＡＵおよび破線円２１ＢＵで示す部分が除菌後の電解水などを含むドレン水中に浸ることとなるが、この部分については、耐食部材２１Ｃが形成されているので、室内熱交換器２１を構成するフィンあるいは鋼管（銅管）に直接除菌後の電解水などの塩素イオン濃度あるいは残留塩素濃度の高い液体が触れることがない。
したがって、本第１実施形態によれば、ドレンポンプ２７からドレンパン２４への戻り水に室内熱交換器２１の一部が浸ってしまっても室内熱交換器２１の腐食を抑制することができ、さらに長期にわたって室内熱交換器２１の耐食性を向上させることができ、部品交換などが必要なく、メンテナンス性が向上している。
【００３２】
また、本第１実施形態の空気調和システム１００の様に、送風ファン２２により吸込口３３から吹出口３４に向かって送風経路を形成し、この送風経路において空気除菌ユニット４を室内熱交換器２１に対して下流側に配置することにより次の様な効果が得られる。すなわち、本第１実施形態の空気調和システム１００を冷房運転させる際には、室内熱交換器２１により冷却され、相対湿度が高くなった空気が空気除菌ユニット４に供給され、暖房運転時には、室内熱交換器２１により加温され、相対湿度が低くなった空気が空気除菌ユニット４に供給される。したがって、空気除菌ユニット４において供給された空気に電解水を接触させても、冷房運転時は既に相対湿度の高い空気が供給されているため、空気除菌後の空気の相対湿度の増加を抑えることができ、暖房運転時には相対湿度の低い空気が供給されているため、空気除菌ユニット４において電解水に接触させることにより、空気除菌後の空気の相対湿度を増加させることができる。したがって、湿式にて空気の除菌・浄化を行うとともに、四方弁１３を切り換えて運転を冷房運転と暖房運転とを切り換えるだけで、空調の負荷を増大させることなく、空気調和時の加湿量を自動的に制御することができ、室内の空気環境を快適に保つことができる。
【００３３】
また、冷房運転時においては、空気除菌ユニット４において熱交換後の空気を除菌して、室内に清浄な空気を供給できるとともに、空気除菌ユニット４に供給される空気の相対湿度は高いため電解水の消費を抑えることもできる。
【００３４】
［２］第２実施形態
以上の第１実施形態では、図４に示した破線円２１ＡＵおよび破線円２１ＢＵで示す部分およびその近傍の室内熱交換器２１の部分についてのみ、耐食部材２１Ｃとしての、親水性材料が表面に形成されていたが、本第２実施形態は、室内熱交換器を実際に設置した場合に、ドレンパン内に収納される部分の表面に耐食部材を形成した場合の実施形態である。
【００３５】
図８は、室内ユニットを天井側からみた場合の平面図である。
図８において、図３と同様の部分には、同一の符号を付すものとする。
図９は、ドレンパンおよび室内ユニットの分解状態の斜視図である。
図１０は、図８のＡ−Ａ断面図である。
室内熱交換器２１Ｘの下方には、発泡スチロール製のドレンパン２４Ｘが配置されている。このドレンパン２４Ｘは、外周面のうち、所定の面が図示しない筐体の内面に接した状態で筐体内に配置されており、このドレンパン２４Ｘには、図示しない化粧パネルの吸込口および吹出口に対応する位置に吸込開口２５Ｘ及び吹出開口用切欠部２６Ｘが設けられている。吸込開口２５Ｘは、図９に示すように、略矩形に形成されたドレンパン２４Ｘの中央に平面視略円形状に形成されている。また、吹出開口用切欠部２６Ｘはドレンパン２４Ｘの４辺に沿ってそれぞれ形成されている。
【００３６】
そして、送風ファン２２を取り囲むように、図示しない筐体の側板に沿って略ホームベース形状（５角形状）に曲げられた室内熱交換器２１Ｘが配置されている（図８参照）。
この室内熱交換器２１Ｘには、送風ファン２２により吸込口から吸い込まれた空気が供給され、室内熱交換器２１Ｘにより熱交換された空気が吹出開口用切欠部２６Ｘを介して各吹出口から吹き出されるように構成されている。
また、ドレンパン２４Ｘには、室内熱交換器２１Ｘの一隅に相当する位置にドレンポンプ２７が配設され、ドレンパン２４Ｘに貯留したドレン水はドレンポンプ２７の吸入管２７Ａ（図１０参照）により汲み上げられて、室内ユニットの外部に排出される。
【００３７】
ここで、室内熱交換器２１の詳細配置および詳細構成について説明する。
上述したように、室内熱交換器２１Ｘの下方には、発泡スチロール製のドレンパン２４Ｘが配置されているが、ドレンパン２４Ｘのドレン水受け部２４ＸＡは、図８および図９に示したように、ドレンポンプ２７側を最下流側（位置ＬＰＸに相当）として最上流側の位置ＨＰＸが、ドレンパン２４Ｘの略対角線上に配置されるようになっている。
したがって、室内ユニットが仕様通りに水平に設置された場合には、位置ＨＰＸからドレンポンプ２７の吸入管２７Ａ側の位置ＬＰＸに向かって、室内熱交換器２１Ｘの形状に沿って、ドレン水は流れることとなる。
【００３８】
そして、ドレンポンプ２７が運転している状態では、ドレン水は、ドレンポンプ２７の吸入管２７Ａ近傍の領域に貯まっているだけであり、室内熱交換器２１Ｘを構成するフィンあるいは鋼管が、ドレン水に浸ることはない。
しかしながら、実際の室内ユニットは、必ずしも仕様通り水平に設置されるものではなく、ドレン水は、ドレンポンプ２７の吸入管２７Ａ近傍の領域のみならず、ドレン水受け部２４ＸＡのいずれかの場所に貯まってしまう可能性がある。
すなわち、ドレンポンプ２７が停止した状態はもとより、ドレンポンプ２７が動作している場合でも、ドレンパン２４Ｘのいずれかのドレン水受け部２４ＸＡ内にドレン水がたまってしまう可能性がある。
すなわち、室内熱交換器２１Ｘは、破線円２１ＤＵで示す部分のみならず、破線領域２１ＣＵのいずれかの部分が除菌後の電解水などを含むドレン水中に浸る可能性が生じることとなる。
【００３９】
そこで、本第２実施形態では、図９において、室内熱交換器２１Ｘの破線領域２１ＣＵで示される部分については、耐食部材２１Ｃとしての、親水性材料が表面に形成されている。この場合において耐食部材２１Ｃを塗布する場合の領域の定め方としては、図１０に示すように、ドレンパン２４Ｘ内にドレン水を縁いっぱいまで最大量貯めた場合の、ドレン水の水深に相当する高さＨＲで規定される領域としている。この場合において、耐食部材２１Ｃの塗布により室内熱交換器２１Ｘの熱交換効率は低下するので、耐食部材２１Ｃを塗布しない場合の熱交換率を１００％とした場合に、約９５％の熱交換率を維持可能な範囲とするのが望ましい。
この耐食部材２１Ｃの形成は、第１実施形態と同様に、水ガラス系の無機塗料を塗布して乾燥させ、あるいは常温ガラスコーティングを行って乾燥させ、形成する。
この結果、室内熱交換器２１Ｘのうち、ドレンパン２４Ｘ内に位置するフィンあるいは鋼管（銅管）に直接除菌後の電解水などの塩素イオン濃度あるいは残留塩素濃度の高い液体が触れることがないので、親水性を阻害することなく、耐食性を向上させることができるようになっている。
したがって、本第２実施形態によっても、ドレンポンプ２７からドレンパン２４Ｘへの戻り水あるいはドレンパン２４Ｘ内貯まって排出されなかったドレン水に室内熱交換器２１の一部が浸ってしまっても、室内熱交換器２１Ｘの腐食を抑制することができ、さらに長期にわたって室内熱交換器２１Ｘの耐食性を向上させることができ、部品交換などが必要なく、メンテナンス性が向上している。
【００４０】
［３］実施形態の変形例
以上の説明では、耐食部材２１Ｃを除菌後の電解水などを含むドレン水中に浸る部分およびこの近傍部分にのみ形成して設けていたが、これらの部分を含む室内熱交換器２１のより大きな部分あるいは室内熱交換器２１全体に設けるように構成することも可能である。
また、以上の説明では、空気除菌ユニット４を一つ設ける場合のものであったが、吹出口３４に対応させて複数設けるように構成することも可能である。
また、以上の説明では、いわゆる天井埋込型の四方向吹き出し型の室内ユニット２を例に挙げて説明したが、本発明に係る室内ユニットはこれに限定されるものではなく、天井吊り下げ型のものであってもよいし、壁掛け型のものであってもよいし、床置き型のものであってもよい。
また、空気除菌ユニット４の気液接触部材４１を室内熱交換器２１に対して略平行に配置してもよいし、傾斜させて配置してもよい。
【００４１】
また、上記実施形態では、活性酸素種として次亜塩素酸を発生させる構成について説明したが、活性酸素種としてオゾン（Ｏ3）や過酸化水素（Ｈ2Ｏ2）を発生させる構成としても良い。この場合、電極５３ａ、５３ｂとして白金タンタル電極を用いると、イオン種が希薄な水からでも、電気分解により高効率に安定して活性酸素種を生成できるため、イオン種添加ユニット７において添加するイオン種の量を低減することができる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極５３ａ、５３ｂ反応によりＯ2-が生成したＯ2-と溶液中のＨ+とが結合して、過酸化水素（Ｈ2Ｏ2）が生成される。
【００４２】
この構成では、電極５３ａ、５３ｂに通電することにより、殺菌力の大きいオゾン（Ｏ3）や過酸化水素（Ｈ2Ｏ2）が発生し、これらオゾン（Ｏ3）や過酸化水素（Ｈ2Ｏ2）を含んだ電解水を作ることができる。そして、この電解水中におけるオゾンもしくは過酸化水素の濃度を、対象ウィルス等を不活化させる濃度に調整し、この濃度の電解水が供給された気液接触部材４１に空気を通過させることにより、空気中に浮遊する対象ウィルス等を不活化することができる。また、臭気等のガス状物質も気液接触部材４１を通過する際に、電解水に溶解したり、電解水中のオゾンまたは過酸化水素と反応したりすることにより、空気中から除去されるため、脱臭することができる。
【００４３】
また、水道水等を電気分解することにより、電極５３ａ、５３ｂ上（カソード）にスケールが堆積した場合、電気伝導性が低下したり、電解面への水の流れが妨げられたりして、継続的な電気分解が困難となる。この場合、電極５３ａ、５３ｂの極性を反転（電極５３ａ、５３ｂのプラスとマイナスを切り換える）させることが効果的である。カソード電極をアノード電極として電気分解することで、カソード電極上に堆積したスケールを取り除くことができる。この極性反転制御では、例えばタイマを利用して定期的に反転させてもよいし、運転起動の度に反転させる等、不定期的に反転させてもよい。また、電解抵抗の上昇（電解電流の低下、あるいは電解電圧の上昇）を検出し、この結果に基づいて、極性を反転させてもよい。
【図面の簡単な説明】
【００４４】
【図１】第１実施の形態における空気調和装置および空気調和システムの概略構成を示す図である。
【図２】室内ユニットの設置状態における断面図である。
【図３】室内ユニットを天井側からみた場合の平面図である。
【図４】室内ユニットの分解斜視図である。
【図５】ドレンパンと室内熱交換器の配置関係概要説明図である。
【図６】空気除菌ユニットの外観斜視図である。
【図７】電解ユニットの構成説明図である。
【図８】室内ユニットを天井側からみた場合の平面図である。
【図９】ドレンパンおよび室内ユニットの分解状態の斜視図である。
【図１０】図８のＡ−Ａ断面図である。
【符号の説明】
【００４５】
１…室外ユニット、２…室内ユニット、４…空気除菌ユニット、５…電解ユニット（電解水供給部）、６…配水管、７…イオン種添加ユニット、１０…冷媒配管、１１…圧縮機、１２…アキュムレータ、１３…四方弁、１４…室外熱交換器、１５…電動膨張弁、２０…筺体、２０ａ…側板、２０ｂ…内側、２０ｃ…開口、２１、２１Ｘ…室内熱交換器、２１Ｃ…耐食部材、２２…送風ファン、２２ａ…モータ、２２ｂ羽根車、２３…断熱体、２４、２４Ｘ…ドレンパン、２５…吸込開口、２６…吹出開口、２７…ドレンポンプ、２７Ａ…吸入管、２８…逆止弁、２９…電動弁、３１…制御基板、３２…化粧パネル、３３…吸込口、３４…吹出口、３５…フィルタ、４１…気液接触部材、４２…分散皿、４２ａ…接続口、４３…皿、４４…ドレン管、５１…電解水供給配管、５２…電解槽、５３ａ…電極、６１…共用配管、６２…分配管、６３電磁弁、７４…制御装置、１００…空気調和システム、１００Ａ…空気調和ユニット、１００Ｂ…冷媒回路、１０１…天井、１０２…天井孔、１０３…金具、１０４…ボルト、Ｃ…カバー、Ｐ…設置パネル。
【図１】
2008076041.tif 000003
【図２】
2008076041.tif 000004
【図３】
2008076041.tif 000005
【図４】
2008076041.tif 000006
【図５】
2008076041.tif 000007
【図６】
2008076041.tif 000008
【図７】
2008076041.tif 000009
【図８】
2008076041.tif 000010
【図９】
2008076041.tif 000011
【図１０】
2008076041.tif 000012